(57)【要約】【課題】遊技領域に風車や入賞装置等を配設した遊技盤の本体を、透光性を有する部材により形成してなる遊技機において、遊技球の流下態様を多彩なものにして興趣を高める。【解決手段】風車装置７０に遊技盤１に形成された開口部１ｃに対して風車７６を取り付けるための取付ベース７２を備え、取付ベース７２には風車７６の回転軸をなす風車軸７５を取り付けるための軸取付部７３を形成する。そして、該軸取付部７３から表側および裏側の各々に延在するように風車軸７５を取付け、風車軸７５の両端側に風車７６，７６を各々配設し、該風車７６の一方を表面の遊技領域（第１遊技領域１ａ）に臨む表面風車７７とし、他方を裏面の遊技領域（第２遊技領域２０）に臨む裏面風車７８とする。【選択図】図１０
2008302007.tif 000002
【特許請求の範囲】
【請求項１】
遊技領域に風車装置や入賞装置等を配設した遊技盤の本体を、透光性を有する部材により形成してなる遊技機において、
前記遊技盤の表面と裏面の各々に遊技領域を形成し、
前記風車装置は、
前記遊技盤に形成された開口部に対して風車を取り付けるための取付ベースを備え、
前記取付ベースには前記風車の回転軸をなす風車軸を取り付けるための軸取付部が形成され、該軸取付部から表側および裏側の各々に延在するように前記風車軸を取付け、前記風車軸の両端側に前記風車を各々配設し、該風車の一方を前記表面の遊技領域に臨む表面風車とし、他方を前記裏面の遊技領域に臨む裏面風車としたことを特徴とする遊技機。
【請求項２】
前記風車軸を前記軸取付部に形成された貫通孔に遊嵌するとともに前記表面風車および前記裏面風車の各々を前記風車軸に固定することで、一方の前記風車の回転に応じて他方の前記風車が回転するようにしたことを特徴とする請求項１に記載の遊技機。
【請求項３】
前記遊技盤表面の遊技領域を流下する遊技球を受け入れて、遊技盤裏面の遊技領域に形成された流出口から流下させるワープ装置を備え、
前記裏面風車を、前記ワープ装置の流出口の下方に配設して、該流出口から流出した遊技球により所定方向に回転するように構成し、
前記裏面風車の所定方向への回転に応じて前記表面風車が回転した場合には、当該表面風車の回転により遊技球が変動表示ゲームの始動口側へ誘導されるように構成したことを特徴とする請求項２に記載の遊技機。
【請求項４】
前記表面風車の羽根部が固定される第１の風車軸と、該第１の風車軸に形成された貫通孔に遊嵌するとともに該表面風車の回転板が固定される第２の風車軸とを備え、
前記遊技盤裏面の遊技領域は前後方向に複数の遊技球が並列に流下可能な前後幅を有し、
前記第１の風車軸よりも前記第２の風車軸を後方側に延在し、各風車軸における前記遊技盤裏面の遊技領域に位置する部分に羽根部を設けることで該羽根部を前後に並設して、前記遊技盤裏面の遊技領域における遊技球が流下する前後位置により第１および第２の風車軸に固定された羽根部が独立して回転するようにしたことを特徴とする請求項３に記載の遊技機。
【請求項５】
前記遊技盤の後方に画像表示装置を配設して、遊技盤を透かして画像表示装置の表示画像を遊技者に視認可能に構成し、
前記風車の回転板を透明部材により形成したことを特徴とする請求項１から請求項４の何れか一項に記載の遊技機。
【発明の詳細な説明】
【技術分野】
【０００１】
本発明は、遊技領域に風車や入賞装置等を配設した遊技盤の本体を、透光性を有する部材により形成してなる遊技機に関する。
【背景技術】
【０００２】
従来、木製の合板に遊技釘を打ち込んで遊技盤を構成し、該遊技盤に向けて遊技球を発射することで遊技を行う遊技機が知られている。遊技盤の遊技領域には、遊技釘の他、遊技球の流下（落下）態様に変化を与える風車が設けられているが、この風車も遊技盤に回転軸を植設し、該回転軸に対して羽根部および回転盤等からなる風車本体が回転可能に設けられている。
【０００３】
ところで、近年においては、遊技盤の本体を透光性の合成樹脂で構成したものが考えられている。このような遊技機においては、透明な遊技盤の後方に画像表示装置を備え、画像表示装置の表示画像を、遊技盤を透かして遊技機前方に存在する遊技者に視認させるように構成されている。また、従来の遊技機においては、遊技盤の表面だけではなく、裏面にも遊技球が流下可能な遊技領域を形成し、遊技盤の表面及び裏面の両方で遊技を行うようにしたものも考えられている（例えば、特許文献１参照）。
【特許文献１】特開２００５−２７０４７３号公報
【発明の開示】
【発明が解決しようとする課題】
【０００４】
しかしながら、従来の遊技機においては、遊技盤の裏面に形成された遊技領域には、遊技釘や風車等が設けられていないことから、裏面の遊技領域を流下する遊技球の流下態様は変化の乏しいものとなり、遊技の興趣を高めるものとなっていない。
また、遊技盤の裏面に転動部を形成し、その転動部に設けられた段差等により流下態様を変化させるようにはしているが、固定的な段差では、多彩な流下態様を形成することは困難であり、やはり興趣を高めるものではない。
【０００５】
本発明の目的は、遊技領域に風車や入賞装置等を配設した遊技盤の本体を、透光性を有する部材により形成してなる遊技機において、遊技球の流下態様を多彩なものにして興趣を高めることである。
【課題を解決するための手段】
【０００６】
以上の課題を解決するため、請求項１に記載の発明は、
遊技領域に風車装置や入賞装置等を配設した遊技盤の本体を、透光性を有する部材により形成してなる遊技機において、
前記遊技盤の表面と裏面の各々に遊技領域を形成し、
前記風車装置は、
前記遊技盤に形成された開口部に対して風車を取り付けるための取付ベースを備え、
前記取付ベースには前記風車の回転軸をなす風車軸を取り付けるための軸取付部が形成され、該軸取付部から表側および裏側の各々に延在するように前記風車軸を取付け、前記風車軸の両端側に前記風車を各々配設し、該風車の一方を前記表面の遊技領域に臨む表面風車とし、他方を前記裏面の遊技領域に臨む裏面風車としたことを特徴とする。
【０００７】
ここで、風車と風車軸は、例えば、両端に風車が固定された風車軸が、軸取付部に対して回転するようにし、表面及び裏面の風車が連動して回転するようにしても良いし、風車軸が軸取付部に固定されて両端の風車が風車軸に対して回転し、表面及び裏面の風車が独立して回転するようにしても良い。
【０００８】
請求項１に記載の発明によれば、軸取付部から表側および裏側の各々に延在するように風車軸を取付け、風車軸の両端側に風車を各々配設し、該風車の一方を表面の遊技領域に臨む表面風車とし、他方を裏面の遊技領域に臨む裏面風車としたので、遊技盤の裏面の遊技領域にも風車を設けることができ、遊技球の流下態様を多彩なものにして興趣を高めることができる。また、遊技盤の表面及び裏面の遊技領域の各々に、配置スペース的に効率よく風車を設けることができる。
【０００９】
請求項２に記載の発明は、請求項１に記載の遊技機であって、
前記風車軸を前記軸取付部に形成された貫通孔に遊嵌するとともに前記表面風車および前記裏面風車の各々を前記風車軸に固定することで、一方の前記風車の回転に応じて他方の前記風車が回転するようにしたことを特徴とする。
【００１０】
請求項２に記載の発明によれば、風車軸を軸取付部に形成された貫通孔に遊嵌するとともに表面風車および裏面風車の各々を風車軸に固定することで、一方の風車の回転に応じて他方の風車が回転するようにしたので、一方の遊技領域における遊技球の流下態様が他方の遊技領域における遊技球の流下態様に影響を与えることとなり、遊技者は裏面の遊技領域での遊技球の流下にも注目するような、極めて興趣の高い遊技を実現することが可能となる。
【００１１】
請求項３に記載の発明は、請求項２に記載の遊技機であって、
前記遊技盤表面の遊技領域を流下する遊技球を受け入れて、遊技盤裏面の遊技領域に形成された流出口から流下させるワープ装置を備え、
前記裏面風車を、前記ワープ装置の流出口の下方に配設して、該流出口から流出した遊技球により所定方向に回転するように構成し、
前記裏面風車の所定方向への回転に応じて前記表面風車が回転した場合には、当該表面風車の回転により遊技球が変動表示ゲームの始動口側へ誘導されるように構成したことを特徴とする。
【００１２】
請求項３に記載の発明によれば、遊技盤表面の遊技領域を流下する遊技球を受け入れて、遊技盤裏面の遊技領域に形成された流出口から流下させるワープ装置を備え、裏面風車を、ワープ装置の流出口の下方に配設して、該流出口から流出した遊技球により所定方向に回転するように構成したので、ワープ装置の流出口から流出した遊技球により裏面の風車を確実に回転させることが可能となる。さらに、裏面風車の所定方向への回転に応じて表面風車が回転した場合には、当該表面風車の回転により遊技球が変動表示ゲームの始動口側へ誘導されるので、流出口から流出した遊技球が、変動表示ゲームの始動口に入賞しやすい位置から遊技盤表面に再排出されることとなり、遊技者の期待感を高めるような遊技内容を提供できる。また、遊技球がワープ装置に受け入れられた場合には、その遊技球が有利になるほか、表面を流下する他の遊技球も有利になるため、遊技者の期待感を更に高めることができる。
【００１３】
請求項４に記載の発明は、請求項３に記載の遊技機であって、
前記表面風車の羽根部が固定される第１の風車軸と、該第１の風車軸に形成された貫通孔に遊嵌するとともに該表面風車の回転板が固定される第２の風車軸とを備え、
前記遊技盤裏面の遊技領域は前後方向に複数の遊技球が並列に流下可能な前後幅を有し、
前記第１の風車軸よりも前記第２の風車軸を後方側に延在し、各風車軸における前記遊技盤裏面の遊技領域に位置する部分に羽根部を設けることで該羽根部を前後に並設して、前記遊技盤裏面の遊技領域における遊技球が流下する前後位置により第１および第２の風車軸に固定された羽根部が独立して回転するようにしたことを特徴とする。
【００１４】
ここで、「複数の遊技球が並列に流下可能な前後幅」とは、遊技球の直径の２倍以上の幅である。
【００１５】
請求項４に記載の発明によれば、表面風車の羽根部が固定される第１の風車軸と、該第１の風車軸に形成された貫通孔に遊嵌するとともに該表面風車の回転板が固定される第２の風車軸とを備えたので、回転板と羽根部が別々に回転することとなり、回転板の回転と遊技球の流下誘導態様とが一致しないので、意外性のある動作となって視覚的な装飾効果を向上することができる。また、遊技盤裏面の遊技領域は前後方向に複数の遊技球が並列に流下可能な前後幅を有し、第１の風車軸よりも第２の風車軸を後方側に延在し、各風車軸における遊技盤裏面の遊技領域に位置する部分に羽根部を設けることで該羽根部を前後に並設して、遊技盤裏面の遊技領域における遊技球が流下する前後位置により第１および第２の風車軸に固定された羽根部が独立して回転するようにしたので、従来にない斬新な遊技を行えるようなり、さらに興趣を高めることが可能となる。
【００１６】
請求項５に記載の発明は、請求項１から請求項４の何れか一項に記載の遊技機であって、前記遊技盤の後方に画像表示装置を配設して、遊技盤を透かして画像表示装置の表示画像を遊技者に視認可能に構成し、
前記風車の回転板を透明部材により形成したことを特徴とする。
【００１７】
ここで、「透明部材」は、例えば、無色透明のもののほか、色付き透明のもの、画像表示装置の画像を視認可能な程度の半透明のものである。
【００１８】
請求項５に記載の発明によれば、遊技盤の後方に画像表示装置を配設して、遊技盤を透かして画像表示装置の表示画像を遊技者に視認可能に構成し、風車の回転板を透明部材により形成したので、画像表示装置の表示画像と同時に表裏の遊技領域における遊技球の流下も見ることができ、興趣が向上する。また、風車を設けても画像表示の視認性が低下することを防止できる。
【発明の効果】
【００１９】
本発明によれば、軸取付部から表側および裏側の各々に延在するように風車軸を取付け、風車軸の両端側に風車を各々配設し、該風車の一方を表面の遊技領域に臨む表面風車とし、他方を裏面の遊技領域に臨む裏面風車としたので、遊技盤の裏面の遊技領域にも風車を設けることができ、遊技球の流下態様を多彩なものにして興趣を高めることができる。また、遊技盤の表面及び裏面の遊技領域の各々に、配置スペース的に効率よく風車を設けることができる。
【発明を実施するための最良の形態】
【００２０】
以下、この発明の実施形態について図面を参照して説明する。
ここでは、本発明にかかる遊技機の適例としてのパチンコ遊技機について図１から図１１を用いて説明を行う。
【００２１】
図１から３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００２２】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２３】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２４】
また、前面枠本体１３０の遊技盤１が嵌め込まれた開口部１３１、すなわち、前面枠本体１３０の中央より少し下側から上端部にわたる部分には、図１に示すように、前面枠本体１３０の前側を覆うようにクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２５】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカ５８，５８などが設けられている。
【００２６】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２７】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、第１遊技領域１ａに向けての遊技球の発射操作を行うとともに、該第１遊技領域１ａに遊技球を発射する際の発射勢を調節するための操作ハンドル１５６、音声を出力するスピーカ５８などが設けられている。
【００２８】
また、前面枠本体１３０の裏面側であって遊技盤１が嵌め込まれた開口部１３１の下方には、排出ユニットによる賞球の排出、発射装置による遊技球の発射を制御する排出発射制御装置や、遊技機１００内の各装置に電力を供給する電源回路としての電源供給装置が取り付けられている。その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２９】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００３０】
裏機構枠１６０は、裏機構枠本体１６１と、画像を表示する画像表示装置としての表示ユニット１７０を案内するためのガイド部１６２とを有し、表示ユニット１７０の他、表示ユニット１７０を制御する第１演出制御装置３３が設けられている。また、図示は省略するが、賞球などを排出する排出ユニットと排出ユニットに遊技球を供給する貯留タンク１９２が設けられている。
【００３１】
裏機構枠本体１６１の前側には、それぞれコ字状のガイド部１６２，１６２が左右の側面を前側に延長するように取り付けられ、裏機構枠１６０の前面側に所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、ガイド部１６２，１６２は裏機構枠本体１６１の左右端部の各々に設けられ、裏機構枠本体１６１の周囲を囲む周囲壁１８７とともに表示ユニット収納部１６８の側面部をなす。
【００３２】
このように形成される表示ユニット収納部１６８には、画像表示面１７１が前側（開口した側）となるように表示ユニット１７０が配設されており、裏機構枠１６０を遊技盤１の裏面に臨むように配することで、遊技盤１の裏面側に表示ユニット１７０の画像表示面１７１が臨むようになっている。すなわち、表示ユニット１７０は該裏機構枠１６０を介して前面枠１２０側に配設された状態で遊技盤１の後方位置に配設されることとなる。
【００３３】
表示ユニット１７０は、前面側が開口した矩形箱状（額縁状）に形成された金属製の表示ユニットケース１７４と、この矩形箱状の表示ユニットケース１７４に収容された液晶表示パネル１７５（液晶表示器、バックライトを含む）とを有する。そして、表示ユニットケース１７４の前面側から液晶表示パネル１７５の画像表示面１７１を有する前面が露出している。
【００３４】
表示ユニットケース１７４の上下の側部であって、左端部及び右端部の合わせて４ヶ所からは、側部に対して垂直に外側に突出する被案内部（図示略）が設けられている。この被案内部は、摩擦係数が低い材質（例えば、ポリアセタール、金属）からなる被案内部材を、表示ユニットケース１７４の上下部（上下面の左右両端）に固定することで形成されている。また、表示ユニット１７０の下面に設けられた被案内部は、その下部に滑動体として左右方向に沿った回転軸を有するローラを備えている。そして、表示ユニット収納部１６８には、この被案内部と対応する位置に前後に延在する溝状の案内部（図示略）が形成されており、表示ユニット１７０が表示ユニット収納部１６８内において前後動自在に配されることとなる。また、案内部に対して摩擦係数が低い材質からなる被案内部もしくは回転可能なローラが当接することとなり、被案内部と案内部との間の摩擦抵抗が軽減され、表示ユニット１７０を円滑に前後方向に移動することができるようになっている。
【００３５】
液晶表示パネル１７５の画像表示面１７１の面積は、前面枠本体１３０に形成された開口部１３１に嵌め込まれた遊技盤１の大部分を裏面側から覆うことができる面積となっており、後述する遊技盤裏面構成部材８０に形成された、遊技盤本体１ｂを透して後方を視認可能な視認開口８７よりも広いものである。すなわち、画像表示面１７１の面積が、少なくとも遊技盤裏面構成部材８０に形成された視認開口８７よりも広く、遊技盤裏面構成部材８０に形成された視認開口８７の大きさが変化してもそれに対応できるようになっている。このように、液晶表示器の画像表示面１７１が遊技盤１の裏面側を幅広く覆うようにすることで、遊技盤１を交換して遊技機１００の遊技内容を変更する場合に、多種の遊技盤１に対応できるようになっている。
【００３６】
また、表示ユニット１７０は、裏機構枠１６０の裏面側に配される第１演出制御装置３３と接続され、第１演出制御装置３３が液晶表示パネル１７５の画像表示面１７１における表示を制御するが、画像表示面１７１の面積が遊技盤裏面構成部材８０に形成された視認開口８７よりも広いので、遊技盤裏面構成部材８０に形成された視認開口８７から露出する領域に所定の画像が表示されるように制御されている。この画像表示領域を決定する遊技盤１の遊技盤裏面構成部材８０に形成された視認開口８７の大きさや位置に関する初期情報や、変動表示ゲームの画像に関する情報は第２演出制御装置３１の演出データ基板に記憶されているが、第２演出制御装置３１は遊技盤１に取り付けられており、遊技盤１と一緒に第２演出制御装置３１も交換される。よって、遊技盤１の交換に伴い、例えば、これまでの遊技盤に対応した画像表示領域から、新たな遊技盤１に対応した画像表示領域に変更できるようになっている。
【００３７】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部内に被案内部が収納された状態となっているので、表示ユニット１７０が非平行状態になっても被案内部が案内部から脱落することがない。
【００３８】
また、表示ユニット１７０は、圧縮コイルばねからなる表示ユニット付勢手段により前方側に向かって付勢された状態となっており、裏機構枠１６０を開放した状態あるいは、遊技盤１を前面枠１２０から取り外した状態では、前後の移動範囲の最も前側の位置に配される。
【００３９】
なお、遊技盤１が装着されて裏機構枠１６０を閉じた状態においては、後述する遊技盤裏面構成部材８０の裏面に設けられて後方に突出する押圧部８３，８３，…が、表示ユニット１７０の前後方向の移動範囲における最も前側の位置より後方に位置するようになっている。よって、押圧部８３の後端部にある押圧部材８３ｂが表示ユニット１７０の前面に密着し、表示ユニット１７０は遊技盤裏面構成部材８０の裏面から押圧部８３，８３，…の突出幅の分だけ後方側へ隔離した位置に配されるようになっている。以上のような構成によって、液晶表示器を備えた表示ユニット１７０は、裏機構枠１６０に前後移動可能に保持されることとなる。
【００４０】
裏機構枠１６０の背面（裏面）には、第１演出制御装置３３が配設されている。この第１演出制御装置３３はＣＰＵなどを備えた演出制御基板を有し、画像表示装置をなす表示ユニット１７０における液晶表示器の表示を制御する表示制御装置をなすものである。また、第１演出制御装置３３の下部は、裏機構枠の下方に形成された開口部１６３へ延出しており、この第１演出制御装置３３の前面側であって開口部１６３に延出する部分からはコネクタ部３３ａが外側に露出しているこのコネクタ部３３ａは、遊技盤１の裏面に取り付けられた第２演出制御装置３１のコネクタ部（図示略）と接続するようになっており、これによって、第２演出制御装置３１と第１演出制御装置３３が直接接続するようになっている。
【００４１】
また、裏機構枠本体１６１の上面には、遊技機１００が設置される図示しない島設備に設けられた供給装置から供給される遊技球を一時貯留し、排出ユニットに供給する貯留タンク１９２が取り付けられている。そして、排出発射制御装置が遊技制御装置３０の制御の下で排出ユニットを作動させることで、所定数の遊技球が発射操作ユニット１５０の前面に形成された上皿１５３に払い出されるようになっている。
【００４２】
図２，４，５に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００４３】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００４４】
さらに、遊技盤本体１ｂの四隅に配された遊技領域区画部材８，８，…には、遊技盤１を前面枠本体１３０に形成された開口部に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部に対して、前面側から係合凹部８ｂ，８ｂを係合部材１３２，１３２に係合させ、この係合部分を軸として他端部を後方に回動させて開口部に収容し、固定凹部８ｃ，８ｃに固定部１３３，１３３を係合させることで遊技盤１が前面枠本体１３０に固定されるようになっている。
【００４５】
遊技盤１を構成する遊技盤本体１ｂの前面側に形成された第１遊技領域１ａ内には、遊技盤１の装飾や遊技球を流下案内する遊技装置として、普図始動ゲート６、始動入賞口１０および普通変動入賞装置３、特別変動入賞装置４が設けられている。さらに遊技装置として、一般入賞口形成部材１４，１４に設けられた一般入賞口２，２、遊技球の流下方向を変化させる風車装置７０，７０、多数の障害釘（図示略）、流下方向規制装置７、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００４６】
普図始動ゲート６は遊技球が上下に通過可能なゲートであり、その内部には遊技球の通過を検出するゲートセンサ６ａが設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００４７】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００４８】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。これにより、特図変動表示ゲームの始動が容易となる。
【００４９】
また、特図変動表示ゲームは、第１遊技領域１ａ内に設けられた特図変動表示器で実行されるが、ここで実行される特図変動表示ゲームに対応する表示ゲームが表示ユニット１７０の画像表示面１７１に表示されるようになっている。この特図変動表示ゲームに対応した表示ゲームの表示領域は、遊技盤本体１ｂの裏面側に配された表示領域区画壁６４，９２、上部役物装置２５によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００５０】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００５１】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて一部が光を透過可能に構成されているとともにＬＥＤなどを備えており、遊技盤１の装飾を行う遊技盤装飾装置の一部をなしている。
【００５２】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置（排出発射制御基板）の制御により排出ユニットによって上皿１５３に排出される（払い出される）ようになっている。
【００５３】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００５４】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００５５】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路２４ａ，２４ａへの入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００５６】
また、案内部７ｂ，７ｂの下方には風車装置７０，７０が配されている。この風車装置７０は、案内部７ｂ，７ｂに沿って流下する遊技球の流下方向の延長線上に風車を７６，７６備えており、案内部７ｂ，７ｂに沿って流下した遊技球の多くが風車７６，７６に衝突するようになっている。そして、風車７６，７６に遊技球が衝突することで、風車７６，７６が回転するとともに遊技球の流下方向が変更される。なお、この風車装置７０の詳細に付いては後述する。
【００５７】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージから前側に誘導された遊技球を第１遊技領域１ａに誘導可能とされている。また、この曲面とされた遊技球が転動する下側の面の下方には、ステージの下側に前後方向に沿って延在するように形成された球誘導路２２の下流側端部が形成されている。導出口形成部材２３の前端部に位置する球誘導路２２の下流側端部は、始動入賞口１０の直上に位置するようになっており、ここを流下した遊技球は高い確率で始動入賞口１０に流入するようになっている。
【００５８】
図５に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００５９】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。この上部カバー部材８１の裏面側には上部役物装置２５が取り付けられている。すなわち、上部カバー部材８１は上部役物装置２５の取り付けベースをなす。
【００６０】
上部役物装置２５はその大部分が、上部カバー部材８１の下側の周縁よりも下側に配されるようになっていて、その前面は遊技盤１の前面側から遊技盤本体１ｂを透して視認可能となっており、この前面には、例えば機種名や装飾図柄などが描かれ、装飾が施された装飾板が配されている。
【００６１】
この上部役物装置２５は、内部に演出部材と、この演出部材を駆動する駆動装置が設けられており、遊技の進行に合わせて演出部材を視認開口８７に現出させることで、遊技の演出を行うものである。すなわち演出部材は、通常時は上部役物装置２５の内部に収納された状態となっていて、遊技者からは見えないように機種名などが描かれた装飾板により隠蔽されており、この状態から駆動装置により駆動されて視認開口８７に現出し、遊技者から視認可能となることで演出を行うようになっている。また、この上部役物装置２５は遊技盤装飾装置の一部をなすものであって、第１演出制御装置３３が第２演出制御装置３１を介して制御するようになっている。また、上部役物装置２５は所定の前後幅を有し、遊技盤１と表示ユニット１７０の間の上部の隙間から遊技機１００の内部が見えないようにする機能も有する。
【００６２】
下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた役物装置（普通変動入賞装置３、特別変動入賞装置４、一般入賞口形成部材１４，１４）の後部を覆うことができるように、役物装置の配設部位における上縁部に沿う形状とされている。この下部カバー部材８２の裏面側には、役物装置の後部を覆う下部覆い部材６０が取り付けられるようになっている。すなわち、下部カバー部材８２は下部覆い部材６０の取り付けベースをなす。
【００６３】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。また、この下部覆い部材６０の裏面側から見て左側の端部は、上下方向に沿って延在する回動軸を備える連結部６２が形成されており、第２演出制御装置３１が左右方向に扉状に回動可能に軸支されるようになっている。
【００６４】
また、下部覆い部材６０は透明な材質からなり、一部がレンズのように加工されていて、裏面側に配されたＬＥＤ基板（図示略）に備えられたＬＥＤからの光を役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。また、下部覆い部材６０の裏面側に取り付けられた第２演出制御装置３１の裏面側には遊技制御装置３０が取り付けられている。
【００６５】
第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１の裏面側には、左右方向に沿って延在する回動軸を備える一対の支持部３１ａ，３１ａが形成されており、遊技制御装置３０を上下方向に扉状に回動可能に軸支するようになっている。また、遊技を制御する遊技制御装置３０を軸支する支持部３１ａ，３１ａの近傍には、遊技制御装置３０が第１演出制御装置３３の裏面に沿って配された状態、すなわち遊技制御装置３０が起立した状態を保持する保持部材（図示略）が設けられている。すなわち、第２演出制御装置３１の裏面は遊技制御装置３０を取り付けるための台座をなす。
【００６６】
すなわち、機種に依存する演出データ基板を備えた第２演出制御装置３１、遊技制御装置３０は遊技盤１に取り付けられ、複数の機種で共通使用可能な第１演出制御装置３３、排出発射制御装置、電源供給装置は前面枠本体１３０もしくは裏機構枠１６０に取り付けられている。よって、遊技盤１を変更することにより機種に依存する装置（基板）のみが交換され、遊技機１００の遊技内容を変更することが可能である。
【００６７】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁９２を備える側壁部材９０が取り付けられている。
【００６８】
側壁部材９０は、表示領域を区画する表示領域区画壁９２を備え、該表示領域区画壁９２が遊技盤本体１ｂに対して上下方向に延在するとともに後方へ延出するような向きで配される。なお、左右の表示領域区画壁９２は遊技盤本体１ｂに対して略垂直に配されるが、より詳細には、後方へ向かって間隔が狭くなるように若干斜めに配されるようになっている。この表示領域区画壁９２は、表示領域区画壁９２を通して遊技機１００の内部が透けて見えない程度の半透明とされており、表示領域区画壁９２の外側を前方から隠蔽するように構成されている。また、表示領域区画壁９２の遊技盤本体１ｂの側端側に配される面には波状の凹凸が形成されており、さらに、表示領域区画壁９２の遊技盤本体１ｂの中央側に配される面には、不透明な装飾用のシールが貼付されるようになっており、表示領域区画壁９２を透して遊技機１００の内部が見えないようになっている。
【００６９】
以上のような構成を有する上部役物装置２５、表示領域区画壁９２，６４によって、遊技盤本体１ｂの裏面側に前後方向に沿った筒状の空間が形成される。この表示領域区画壁９２，６４および上部役物装置２５は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁９２，６４および上部役物装置２５で囲まれた領域が遊技盤１の前面側から視認可能な表示領域（視認領域）となる。これによって、第１遊技領域１ａの大部分に表示ユニット１７０の画像が表示されることとなる。また後述するように、この遊技盤本体１ｂの裏面側における表示領域区画壁９２，６４および上部役物装置２５で囲まれた領域の一部が、遊技球が流下可能な第２遊技領域２０とされている。
【００７０】
なお、画像表示面１７１の面積は、遊技盤裏面構成部材８０に形成された視認開口８７よりも広いので、視認開口８７から露出する領域に所定の画像が表示されるように第１演出制御装置３３によって制御されている。また、上述したように、表示領域区画壁９２，６４と上部役物装置２５は、遊技機１００の内部が見えないようにする機能も有しており、これらで囲まれた視認開口８７の外周部分となる領域は遊技盤１の前面側からは見えないようになっている。
【００７１】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、遊技盤１の裏面側に配される表示ユニット１７０の前面（表示ユニット１７０の外枠をなす表示ユニットケース１７４の前面）に、その後端部が当接するようになっている。表示ユニット１７０は、表示ユニット付勢手段（圧縮コイルばね）によって前側に付勢されているので、押圧部８３，８３，…と表示ユニット１７０は密着した状態で保持されるようになっている。
【００７２】
また、押圧部８３，８３，…は、所定の前後幅を有しており、押圧部８３，８３，…が表示ユニット１７０の前面に当接することで、遊技盤１と表示ユニット１７０は所定の間隔をおいて平行に配され、両者の間に空間部が形成されるようになっている。なお、押圧部８３，８３，…の前後幅は、上述した表示領域区画壁９２の前後幅よりも若干広くされており、押圧部８３，８３，…が表示ユニット１７０の前面に当接することで、表示領域区画壁９２が画像表示面１７１に近接した位置に配されるようになっている。
【００７３】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００７４】
また、押圧部８３，８３，…は上部カバー部材８１の裏面、下部カバー部材８２の裏面に形成された基部と、基部の後端部にねじによって取り付けられた摩擦係数が低い材質（例えば、ポリアセタール、金属）からなる押圧部材８３ｂとを有している。さらに、上部カバー部材８１、下部カバー部材８２の裏面側から見て右側に位置する押圧部８３，８３の基部には、押圧部材８３ｂに加え、上下方向に沿った軸を中心に回動可能なローラ８３ｃが、外側に位置する角部に取り付け可能とされている。
【００７５】
表示ユニット１７０の前面に当接する押圧部８３，８３，…がこのような構成を有することで、押圧部８３，８３，…が表示ユニット１７０の前面に当接し、押圧した状態で、容易に適切な位置に移動することができるようになっている。
【００７６】
遊技盤本体１ｂの裏面側における表示領域区画壁９２，６４および上部役物装置２５で囲まれた領域内には、遊技装置としてのステージ部材２１が配されている。このステージ部材２１は透光性を有する材質からなる板状の部材であって、左右の端部は表示領域区画壁９２に一部が支持されるとともに近接して配され、後端部は表示領域区画壁９２の後端部と等しい前後位置に配されている。すなわち、このステージ部材２１によって、表示領域区画壁９２，６４および上部役物装置２５によって形成された前後方向に沿った筒状の空間が上下に区画されるようになっている。そして、遊技盤１の裏面側に表示ユニット１７０が配されることで、表示ユニット１７０と表示領域区画壁９２、ステージ部材２１および上部役物装置２５によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００７７】
遊技盤本体１ｂの裏面におけるワープ入口１２，１２と対応する位置には、ワープ装置をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ２１ａ上に誘導するワープ流路２４ａ，２４ａが内部に形成されている。このワープ流路２４ａ，２４ａは、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路２４ａ，２４ａを通って第２遊技領域２０におけるステージ部材２１の上面に形成されたステージ２１ａの側端方向へ誘導されることとなる。
【００７８】
ステージ部材２１は、左右両側が中央に向かって下る傾斜面となっているとともに、中央部が上向きに突出した略Ｗ字状に形成されている。そして、このステージ部材２１の上面が、遊技球が転動するステージ２１ａとされ、遊技球が略Ｗ字状の傾斜に沿って左右に転動するようになっている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００７９】
また、ステージ２１ａの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージ２１ａに開口しており、下流側端部は上述したように、導出口形成部材２３の前端部に開口している。
【００８０】
また、ワープ流路２４ａ，２４ａの流出口２４ｂ，２４ｂの下方に隣接する位置には風車装置７０，７０の裏面風車７８が位置しており、ワープ流路２４ａ，２４ａから排出された遊技球はこの裏面風車７８に衝突し、裏面風車７８を回転させるとともに流下態様が変化するようになっている。図６から１０に示すように、この風車装置７０は、遊技盤本体１ｂに形成された前後に貫通する開口部１ｃに固定される本体部７１と、該本体部７１に回転可能に支持された風車軸７５の両端にそれぞれ取り付けられ、遊技盤本体１ｂの前面側に形成された第１遊技領域１ａに臨む表面風車７７と、遊技盤本体１ｂの裏面側に形成された後述の第２遊技領域２０に臨む裏面風車７８と、を備える。
【００８１】
本体部７１は、遊技盤本体１ｂの前面に固定される取付ベース７２と、風車軸７５を挿通する軸取付部７３、軸支持盤７４とを備える。取付ベース７２は、風車装置７０の各種部材を取り付けるベース部材をなすとともに、風車装置７０を遊技盤本体１ｂに取り付けるためのものである。この取付ベース７２は、遊技盤本体１ｂに形成された風車装置７０を取り付けるための円形の開口部１ｃよりも大きい板状の部材で、遊技盤本体１ｂの前面側に裏面が密着するように配され、開口部１ｃを前面側から覆うようになっている。
【００８２】
また、取付ベース７２の開口部１ｃと前後に重ならないように配される部分には、前後に貫通するねじ穴７２ａ，７２ａが形成されており、取付ベース７２をねじによって遊技盤本体１ｂの前面に固定できるようになっている。さらに、ねじ穴７２ａ，７２ａに隣接する位置であって、開口部１ｃと前後に重ならないように配される部分の裏面には、後方に延出する位置決め用ボス７２ｂ，７２ｂが形成されており、この位置決め用ボス７２ｂ，７２ｂを遊技盤本体１ｂの前面に形成された挿入部１ｄ，１ｄに挿入するように取り付けることで、取付ベース７２が遊技盤本体１ｂの所定位置に取り付けられるようになっている。また、このように遊技盤本体１ｂの前面に配される取付ベース７２の前面の外周部７２ｃは、外側へ向かって厚みが薄くなるようなテーパ状とされており、第１遊技領域１ａを構成する遊技盤本体１ｂの前面に沿って配される取付ベース７２が遊技球の流下を妨げないようにされている。
【００８３】
取付ベース７２の裏面であって円形の開口部１ｃを覆うように配される部分のうち、開口部１ｃの中心に位置する部分には、後方へ延出するように軸取付部７３が形成されている。この軸取付部７３は、取付ベース７２に対して垂直に延出するように形成された略円柱状の部分で、その周囲には延出方向に沿った補強リブ７３ａ，７３ａ，…が周方向に等間隔に複数形成されている。さらに、軸取付部７３の後端には、円形板状の軸支持盤７４が軸取付部７３の延出方向と垂直に形成されている。軸支持盤７４は、遊技盤本体１ｂに形成された円形の開口部１ｃよりもやや小さい径の円形板状をしており、軸取付部７３の後端は、この軸支持盤７４の中心に接続している。
【００８４】
すなわち、本体部７１においては、取付ベース７２と軸支持盤７４が軸取付部７３を挟んで平行に配されている。また、取付ベース７２と軸支持盤７４の間隔は、遊技盤本体１ｂの厚みに略等しく、取付ベース７２が遊技盤本体１ｂに形成された開口部１ｃの前面側を閉鎖するとともに、軸支持盤７４が開口部１ｃの裏面側を閉鎖するようになっている。なお、軸支持盤７４は円形の開口部１ｃを閉鎖するとともに、その裏面が遊技盤本体１ｂの裏面と略同一面をなすように配され、円形の開口部１ｃ及び軸支持盤７４が第２遊技領域２０を流下する遊技球の障害とならないようになっている。また、本体部７１には、取付ベース７２、軸取付部７３、軸支持盤７４を貫通するように、風車軸７５を挿通可能な貫通孔７１ａが形成されている。この貫通孔７１ａは軸取付部７３の中心を延在方向に沿って貫通するように形成されており、遊技盤１と平行に配される取付ベース７２、軸支持盤７４に対して垂直に延在するように形成されている。
【００８５】
風車軸７５は、上述の貫通孔７１ａに回転可能に挿通されて（遊嵌されて）支持されるようになっていて、取付ベース７２及び軸支持盤７４に対して垂直に配されるようになっている。この風車軸７５の長さは、遊技盤本体１ｂの厚みと略等しい本体部７１の厚みよりも長く、貫通孔７１ａに挿通した状態では本体部７１の両端から端部が延出するようになる。そして、この本体部７１の両端から延出する風車軸７５の両端に風車７６，７６が固定されている。
【００８６】
風車７６は、取付ベース７２側に配されて第１遊技領域１ａに臨む表面風車７７と、軸支持盤７４側に配されて第２遊技領域２０に臨む裏面風車７８とがあるが、いずれも同じ構成を有している。この風車７６は円形板状の回転板７６ａを有し、この回転板７６ａにおける一側面に、風車軸７５の端部を挿通し固定するための軸挿通部７６ｂと、遊技球が衝突する羽根部７６ｃが形成されている。
【００８７】
軸挿通部７６ｂは、回転板７６ａの一側面の中心に、回転板７６ａに対して垂直に延出するように形成された円柱状の部分である。この軸挿通部７６ｂの回転板７６ａからの延出幅は、遊技球の直径よりもやや広いものとされている。また、軸挿通部７６ｂの中心には、風車軸７５を挿通して固定する接続孔が形成されている。この接続孔は、回転板７６ａの中心軸に沿って回転板７６ａに対して垂直に延在するとともに、軸挿通部７６ｂ及び回転板７６ａを貫通するように形成されている。また、羽根部７６ｃは、軸挿通部７６ｂの周面及び回転板７６ａの一側面に対して垂直に接続した板状の部分で、円形板状の回転板７６ａの径方向に沿って等間隔に３つ（１２０度おきに）形成されている。
【００８８】
このような構成を有する風車７６は、回転板７６ａよりも軸挿通部７６ｂが本体部７１側に位置するような向きで、本体部７１の両側に延出する風車軸７５の端部を接続孔に挿入して固定することで、本体部７１の両側に回転可能に取り付けられるようになっている。なお、接続孔は回転板７６ａを貫通するように形成されており、風車軸７５の端部は回転板７６ａの外側に突出している。このように、一本の風車軸の両端に２つの風車を取り付けたことで、一方の風車７６が回転することで他方の風車７６も連動して回転するようになる。
【００８９】
以上のような構成を有する風車装置７０は、取付ベース７２の前面を正面に向けた状態で、軸支持盤７４が形成された側を遊技盤本体１ｂに形成された円形の開口部１ｃに対して前側から挿入するように取り付けられている。円形の開口部１ｃの内径は風車７６（裏面風車７８）や軸支持盤７４の外径よりも大きく、これらを挿通可能となっている。そして、円形の開口部１ｃよりも大きい取付ベース７２の裏面が遊技盤本体１ｂの前面に当接することで、風車装置７０の後方への移動が規制され、所定の前後位置に配されることとなる。このとき、軸支持盤７４は円形の開口部１ｃを閉鎖し、その裏面が遊技盤本体１ｂの裏面と略同一面をなすように配される。
【００９０】
さらに、取付ベース７２の裏面に形成された位置決め用ボス７２ｂを遊技盤本体１ｂに形成された挿入部１ｄに挿入し、また、取付ベース７２に形成されたねじ穴７２ａに挿通したねじを遊技盤本体１ｂに螺合することで、風車装置７０が遊技盤本体１ｂの所定位置に固定される。このように風車装置７０を取り付けることにより、遊技盤本体１ｂの表裏に風車７６，７６が臨むようになり、このうち、取付ベース７２側に取り付けられた風車７６が第１遊技領域１ａ内に臨む表面風車７７となり、軸支持盤７４側に取り付けられた風車７６が第２遊技領域２０内に臨む裏面風車７８となる。
【００９１】
なお、風車装置７０の風車７６（回転板７６ａなど）や本体部７１は透明な材質からなり、遊技盤１の後方に配された表示ユニット１７０の表示画像の視認を妨げないようにされている。この透明な材質は無色透明のもののほか、色付き透明のものや表示ユニット１７０の画像を視認可能な程度の半透明のものでも良い。また、裏面風車７８の羽根部７６ｃの軸支持盤７４と対向する面（遊技者から視認可能な面）を着色し、風車７６，７６の回転をわかりやすくするようにしても良い。
【００９２】
以上のことから、遊技領域（第１遊技領域１ａ）に風車装置７０，７０や入賞装置（一般入賞口２、普通変動入賞装置３、特別変動入賞装置４、始動入賞口１０）等を配設した遊技盤の本体（遊技盤本体１ｂ）を、透光性を有する部材により形成してなる遊技機１００において、遊技盤１の表面と裏面の各々に遊技領域（第１遊技領域１ａ、第２遊技領域２０）を形成し、風車装置７０，７０は、遊技盤１に形成された開口部１ｃに対して風車７６，７６を取り付けるための取付ベース７２を備え、取付ベース７２には風車７６，７６の回転軸をなす風車軸７５を取り付けるための軸取付部７３が形成され、該軸取付部７３から表側および裏側の各々に延在するように風車軸７５を取付け、風車軸７５の両端側に風車７６，７６を各々配設し、該風車７６，７６の一方を表面の遊技領域（第１遊技領域１ａ）に臨む表面風車７７とし、他方を裏面の遊技領域（第２遊技領域２０）に臨む裏面風車７８としたこととなる。
【００９３】
また、風車軸７５を軸取付部７３に形成された貫通孔７１ａに遊嵌するとともに表面風車７７および裏面風車７８の各々を風車軸７５に固定することで、一方の風車７６の回転に応じて他方の風車７６が回転するようにしたこととなる。
【００９４】
また、遊技盤１の後方に画像表示装置（表示ユニット１７０）を配設して、遊技盤１を透かして画像表示装置の表示画像を遊技者に視認可能に構成し、風車７６の回転板７６ａを透明部材により形成したこととなる。
【００９５】
このような風車装置７０が遊技盤１に設けられていることによって、第１遊技領域１ａでは、表面風車７７に流下する遊技球が衝突して表面風車７７が回転するとともに、その流下方向が変更される。また、第２遊技領域２０では、裏面風車７８にワープ流路２４ａの流出口２４ｂから排出される遊技球が衝突して裏面風車７８が回転するとともに、その流下方向が変更される。上述したように表面風車７７と裏面風車７８は連動して回転するようになっており、一方の風車７６に遊技球が衝突して回転することで他方の風車も７６連動して回転し、該他方の風車７６に衝突した遊技球の流下方向を変更するように作用することとなる。これにより、遊技球の流下態様を多彩なものにして興趣を高めることができる。
【００９６】
なお、本実施形態の遊技機１００では、発射された遊技球の一部がワープ流路２４ａ，２４ａを流下して第２遊技領域２０に至るようになっており、大部分は第１遊技領域１ａを流下することとなる。よって、主に第１遊技領域１ａを流下する遊技球が風車装置７０を介して第２遊技領域２０の遊技球の流下態様を変化させることとなる。また、逆に、第２遊技領域２０を流下する遊技球が風車装置７０を介して第１遊技領域１ａを流下する遊技球の流下態様を変化させる場合もある。この場合、遊技者に有利な状態となるようにされている。
【００９７】
裏面風車７８は第２遊技領域２０においてワープ流路２４ａの流出口２４ｂの下方であって、流出口２４ｂから排出される遊技球の流下経路よりも上方に配されるようになっている。よって、例えば、図５に示すように、遊技盤１の裏面側から見て右側の風車装置７０においては、ワープ流路２４ａから排出された遊技球が衝突することによって、所定方向（反時計回り方向）に回転することとなる。この風車装置７０は、図４に示すように、遊技盤１の前面側から見ると左側にあって、ワープ流路２４ａから排出された遊技球の衝突により裏面風車７８が回転することに連動して回転する表面風車７７は、所定方向（時計回り方向）に回転することとなる。
【００９８】
すなわち、表面風車７７の上方から流下する遊技球を始動入賞口１０や特別変動入賞装置４のある第１遊技領域１ａの中央方向に誘導するように回転することとなり、遊技者にとって有利な状態となる。また、遊技盤１の前面側から見て右側にある風車装置７０でも同様に、ワープ流路２４ａから排出された遊技球が衝突することによって裏面風車７８が回転することに連動して回転する表面風車７７は、遊技球を遊技盤１の中央方向に誘導する方向（前面側から見て反時計回り方向）に回転することとなる。このように動作するようにしたことにより、遊技球がワープ流路２４ａに受け入れられた場合には、その遊技球が有利になるほか、表面を流下する他の遊技球も有利になるため、遊技者の期待感を高めることができる。
【００９９】
以上のことから、遊技盤表面の遊技領域（第１遊技領域１ａ）を流下する遊技球を受け入れて、遊技盤裏面の遊技領域（第２遊技領域２０）に形成された流出口２４ｂから流下させるワープ装置（ワープ流路形成部材２４，２４）を備え、裏面風車７８を、ワープ装置の流出口２４ｂの下方に配設して、該流出口２４ｂから流出した遊技球により所定方向に回転するように構成し、裏面風車７８の所定方向への回転に応じて表面風車７７が回転した場合には、当該表面風車７７の回転により遊技球が変動表示ゲームの始動口（始動入賞口１０）側へ誘導されるように構成したこととなる。
【０１００】
なお、以上の実施形態においては、両端に風車７６，７６が固定された風車軸７５が、軸取付部７３に対して回転するようにし、表面風車７７及び裏面風車７８が連動して回転するようにしたが、風車軸７５が軸取付部７３に固定されて両端の風車７６，７６が風車軸７５に対して回転し、表面風車７７及び裏面風車７８が独立して回転するようにしても良い。
【０１０１】
また、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなる。
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。また、表示ユニット１７０が遊技盤１の後方の所定間隔を空けた位置に配されるように、前面枠１２０などに固定されている構成としても良い。
【０１０２】
また、遊技盤１は透明な合成樹脂からなるとしたが、少なくとも視認開口８７が設定される部分が透明であれば良く、遊技盤１の全てが透明であっても良いし、一部が透明であっても良い。
【０１０３】
次に、上述した実施形態の遊技機の第１変形例について図１１を参照して説明する。なお、基本的には、上述の実施形態の遊技機と同様の構成を有しており、同様の構成を有する部分には同じ符号を付して説明を省略し、主に異なる部分について説明する。本変形例の遊技機は、ステージ４０が上下二段とされ、裏面風車７８によって何れかの段に振り分けられるようになっている。
【０１０４】
図１１には、遊技盤１の裏面側から見て右側に位置する風車装置７０とその下方に位置するステージ４０を示した。風車装置７０の裏面風車７８は、ワープ流路２４ａの流出口２４ｂの直下に配されており、裏面風車７８に衝突した遊技球は裏面風車７８の左右何れかに振り分けられ、下方に形成されたステージ４０に流下するようになっている。
【０１０５】
裏面風車７８の下方に形成されたステージ４０は上下二段となっていて、上側の第１ステージ４１は、裏面風車７８の下方に端部が位置し、この端部から遊技盤１の中央側に向かって下るように形成されている。また、下側の第２ステージ４２は端部が遊技盤１の側端に位置し、この端部から中央側へ向かって下るように形成されている。また、遊技盤１の中央にはステージ４０の傾斜に沿って流下した遊技球を第１遊技領域１ａへ誘導する導出口（図示略）が形成されているが、本変形例の導出口においては、上側の第１ステージ４１を流下した遊技球の方が、下側の第２ステージ４２を流下した遊技球よりも始動入賞口１０へ誘導される可能性が高くなるようになっている。すなわち、第１ステージ４１の方が第２ステージ４２よりも遊技者にとって有利である。なお、ステージ４０の構造は、遊技盤１の中心に対して左右対称に形成されており、遊技盤１の裏面側から見て左側に位置する風車装置７０が設けられた部分においても、上述と同様に構成されている。
【０１０６】
そして、裏面風車７８によって、遊技盤１の中央側（図１１では左側）へ振り分けられた遊技球は第１ステージ４１上に流下し、遊技盤１の側端側（図１１では右側）へ振り分けられた遊技球は第２ステージ４２上に流下するようになっている。ここで、裏面風車７８は表面風車７７と連動して回転するようになっており、表面風車７７が上方から流下する遊技球を遊技盤１の中央側へ誘導するように回転した際には、裏面風車７８も上方から流下する遊技球を遊技盤１の中央側へ誘導するように回転して遊技球を第１ステージ４１に流下させる。すなわち、表面風車７７が遊技者にとって有利な方向に回転した際には、裏面風車７８も遊技者にとって有利な方向に回転するようになっており、遊技者の期待感を向上させることができる。
【０１０７】
なお、本変形例の導出口においては、上側の第１ステージ４１を流下した遊技球の方が、下側の第２ステージ４２を流下した遊技球よりも始動入賞口１０へ誘導される可能性が高く、遊技者にとって有利としたが、逆に第２ステージの方が始動入賞口１０へ誘導される可能性が高くなるようにしても良い。
【０１０８】
すなわち、遊技盤裏面の遊技領域（第２遊技領域２０）に、流下する遊技球を変動表示ゲームの始動口（始動入賞口１０）へ誘導する確率が異なる複数の流下経路（第１ステージ４１、第２ステージ４２）を設け、裏面風車７８がワープ装置（ワープ流路形成部材２４，２４）の流出口２４ｂから流出した遊技球を何れかの流下経路に振り分けるようにしたこととなる。
【０１０９】
次に、上述した実施形態の遊技機の第２変形例について図１２を参照して説明する。なお、基本的には、上述の実施形態の遊技機と同様の構成を有しており、同様の構成を有する部分には同じ符号を付して説明を省略し、主に異なる部分について説明する。本変形例の遊技機は、ステージ５０の前後幅を複数の遊技球が並列に流下可能な幅とし、裏面風車７８の羽根部５１として独立して回転可能な前方羽根部５１ａと後方羽根部５１ｂとを前後に並設している。
【０１１０】
図１２には、遊技盤１の前面側から見て左側に位置する風車装置２００とその下方に位置するステージ５０を上方から見た断面図を示した。第２遊技領域２０を構成するステージ５０は、遊技球の直径の２倍以上の前後幅を有し、遊技盤１の側端から中央側へ向かって下る傾斜面となっており、複数の遊技球が並列に中央へ向かって流下可能となっている。すなわち、第２遊技領域２０は、前後方向に複数の遊技球が並列に流下可能な前後幅を有している。また、第１遊技領域１ａからステージ５０に遊技球を誘導するワープ流路２４ａの流出口２４ｂは、風車装置７０の裏面風車７８が配された位置よりも遊技盤１の側端側、すなわち、傾斜上流側に遊技球を排出するように形成されている。よって、ワープ流路２４ａからステージ５０上に排出された遊技球は、裏面風車７８が設けられた部分を通過して遊技盤１の中央側へ誘導されるようになっている。
【０１１１】
風車装置２００は風車軸７５として第１の風車軸７５ａと第２の風車軸７５ｂとを有する。第１の風車軸７５ａは、中心に延在方向に沿った貫通孔を有する円筒状であり、本体部７１の貫通孔７１ａに回転可能に挿通されて（遊嵌されて）いる。また、第２の風車軸７５ｂは、第１の風車軸７５ａに形成された貫通孔に回転可能に挿通されて（遊嵌されて）いる。この第２の風車軸７５ｂは第１の風車軸７５ａよりも延在方向に沿った長さが長く、後端部が第１の風車軸７５ａよりも後方側に延在するようになっている。なお、第１の風車軸７５ａと第２の風車軸７５ｂの回動中心は共通である。すなわち、風車軸７５は外側の第１の回動軸７５ａと内側の第２の回動軸７５ｂが、同じ回転中心を中心としてそれぞれ独立して回転可能な二重の構造となっている。
【０１１２】
第１の風車軸７５ａにおける第１遊技領域１ａ側の端部の周面には、表面風車７７の羽根部５２が第１の風車軸７５ａの径方向に沿って延出するように形成されている。また、第１の風車軸７５ａにおける第２遊技領域２０側の端部の周面には、裏面風車７８の羽根部５１の一部をなす前方羽根部５１ａが第１の風車軸７５ａの径方向に沿って延出するように形成されている。この前方羽根部５１ａはステージ５０の前後幅の略半分の幅を有しており、ステージ５０の前半部分に配されるようになっている。
【０１１３】
第２の風車軸７５ｂにおける第１遊技領域１ａ側の端部には、表面風車７７の回転板７６ａが第２の風車軸７５ｂの延在方向に対して垂直に形成されている。また、第２の風車軸７５ｂにおける第１の風車軸７５ａよりも後方側に延在する第２遊技領域２０側の端部には、裏面風車７８の回転板７６ａが第２の風車軸７５ｂの延在方向に対して垂直に形成されているとともに、裏面風車７８の羽根部５１の一部をなす後方羽根部５１ｂが第２の風車軸７５ｂの径方向に沿って延出するように形成されている。この後方羽根部５１ｂはステージ５０の前後幅の略半分の幅を有しており、ステージ５０の後半部分に配されるようになっている。なお、風車装置７０の配設位置は、裏面風車７８の羽根部５１（前方羽根部５１ａ、後方羽根部５１ｂ）がステージ５０の上面に近接し、ステージ５０上を流下する遊技球と衝突可能となるような位置とされている。
【０１１４】
このような構成によって、第１遊技領域１ａに臨む表面風車７７は、回転板７６ａと羽根部５２が独立して回転するような構成となる。また、第２遊技領域２０に臨む裏面風車７８の羽根部５１は、前後に並んで設けられ、各々独立して回転する前方羽根部５１ａと後方羽根部５１ｂとにより構成される。また、表面風車７７の羽根部５２と裏面風車７８の羽根部５１の一部をなす前方羽根部５１ａが連動して回転するようになっており、表面風車７７の回転板７６ａと裏面風車７８の回転板７６ａと羽根部５１の一部をなす後方羽根部５１ｂが連動して回転するようになっている。
【０１１５】
そして、ワープ流路２４ａの流出口２４ｂから排出されてステージ５０の前半部分を流下する遊技球は、前方羽根部５１ａに衝突することとなる。この前方羽根部５１ａは表面風車７７の羽根部５２と連動して回転するようになっており、第１遊技領域１ａを流下する遊技球の流下態様と、第２遊技領域２０の前半部分を流下する遊技球の流下態様は互いに影響し合うようになっている。なお、第１遊技領域１ａを流下する遊技球が表面風車７７の下側を通過するような構成とすれば、連動して回転する前方羽根部５１ａと羽根部５２が何れも遊技球を遊技者にとって有利な遊技盤１の中央方向へ誘導するようになる。
【０１１６】
また、ワープ流路２４ａの流出口２４ｂから排出されてステージ５０の後半部分を流下する遊技球は、後方羽根部５１ｂに衝突することとなる。この後方羽根部５１ｂは表面風車７７の回転板７６ａと連動して回転するようになっており、第１遊技領域１を流下する遊技球の流下態様と、第２遊技領域２０の後半部分を流下する遊技球の流下態様は互いに影響しない。このように、ステージ５０上での流下位置によって第１遊技領域１ａを流下する遊技球への影響及び第１遊技領域１ａを流下する遊技球からの影響が異なるようになっている。
【０１１７】
また、表面風車７７においては、回転板７６ａと羽根部５２が別々に回転するようになっているので、例えば、回転板７６ａが回転しているにもかかわらず、羽根部５２が回転していないこともあり、回転板７６ａの回転と遊技球の流下誘導態様とが一致せず、意外性のある動作となって視覚的な装飾効果を向上することができる。
【０１１８】
以上のことから、表面風車７７の羽根部５２が固定される第１の風車軸７５ａと、該第１の風車軸７５ａに形成された貫通孔に遊嵌するとともに該表面風車７７の回転板７６ａが固定される第２の風車軸７５ｂとを備え、遊技盤裏面の遊技領域（第２遊技領域２０）は前後方向に複数の遊技球が並列に流下可能な前後幅を有し、第１の風車軸７５ａよりも第２の風車軸７５ｂを後方側に延在し、各風車軸７５ａ，７５ｂにおける遊技盤裏面の遊技領域に位置する部分に羽根部５１を設けることで該羽根部５１を前後に並設して、遊技盤裏面の遊技領域における遊技球が流下する前後位置により第１および第２の風車軸７５ａ，７５ｂに固定された羽根部５１が独立して回転するようにしたこととなる。
【０１１９】
なお、この第２変形例の風車装置２００の裏面風車７８を、ワープ装置２４の流出口２４ｂの下方に配設するとともに、流出口２４ｂを遊技球が前後に２個程度流出できる大きさに設定して、該流出口２４ｂから流出した遊技球の一部が裏面風車７８の前方羽根部５１ａに衝突して前方羽根部５１ａを所定方向に回転するように構成し、裏面風車７８の前方羽根部５１ａの所定方向への回転に応じて表面風車７７の羽根部５２が回転した場合には、当該表面風車７７の羽根部５２の回転により遊技球が変動表示ゲームの始動口（始動入賞口１０）側へ誘導されるような構成としても良い。また、この第２変形例の風車装置２００を第１変形例の遊技機に適用しても良い。なおこの場合、ワープ流路２４ａの流出口２４ｂから排出される遊技球を、所定の割合で前後に振り分けるようにし、前方羽根部５１ａと後方羽根部５１ｂの何れかに衝突するような構成としても良い。
【０１２０】
以上のような遊技機１００は、遊技領域（第１遊技領域１ａ）に風車装置７０，７０や入賞装置（一般入賞口２、普通変動入賞装置３、特別変動入賞装置４、始動入賞口１０）等を配設した遊技盤の本体（遊技盤本体１ｂ）を、透光性を有する部材により形成してなる遊技機１００であって、遊技盤１の表面と裏面の各々に遊技領域（第１遊技領域１ａ、第２遊技領域２０）を形成し、風車装置７０，７０は、遊技盤１に形成された開口部１ｃに対して風車７６，７６を取り付けるための取付ベース７２を備え、取付ベース７２には風車７６，７６の回転軸をなす風車軸７５を取り付けるための軸取付部７３が形成され、該軸取付部７３から表側および裏側の各々に延在するように風車軸７５を取付け、風車軸７５の両端側に風車７６，７６を各々配設し、該風車７６，７６の一方を表面の遊技領域（第１遊技領域１ａ）に臨む表面風車７７とし、他方を裏面の遊技領域（第２遊技領域２０）に臨む裏面風車７８としている。
【０１２１】
したがって、軸取付部７３から表側および裏側の各々に延在するように風車軸７５を取付け、風車軸７５の両端側に風車７６，７６を各々配設し、該風車７６，７６の一方を表面の遊技領域（第１遊技領域１ａ）に臨む表面風車７７とし、他方を裏面の遊技領域（第２遊技領域２０）に臨む裏面風車７８としたので、遊技盤１の裏面の遊技領域にも風車７６を設けることができ、遊技球の流下態様を多彩なものにして興趣を高めることができる。また、遊技盤１の表面及び裏面の遊技領域の各々に、配置スペース的に効率よく風車７６，７６を設けることができる。
【０１２２】
また、風車軸７５を軸取付部７３に形成された貫通孔７１ａに遊嵌するとともに表面風車７７および裏面風車７８の各々を風車軸７５に固定することで、一方の風車７６の回転に応じて他方の風車７６が回転するようにしている。
【０１２３】
したがって、風車軸７５を軸取付部７３に形成された貫通孔７１ａに遊嵌するとともに表面風車７７および裏面風車７８の各々を風車軸７５に固定することで、一方の風車７６の回転に応じて他方の風車７６が回転するようにしたので、一方の遊技領域における遊技球の流下態様が他方の遊技領域における遊技球の流下態様に影響を与えることとなり、遊技者は裏面の遊技領域（第２遊技領域２０）での遊技球の流下にも注目するような、極めて興趣の高い遊技を実現することが可能となる。
【０１２４】
また、遊技盤表面の遊技領域（第１遊技領域１ａ）を流下する遊技球を受け入れて、遊技盤裏面の遊技領域（第２遊技領域２０）に形成された流出口２４ｂから流下させるワープ装置（ワープ流路形成部材２４，２４）を備え、裏面風車７８を、ワープ装置２４の流出口２４ｂの下方に配設して、該流出口２４ｂから流出した遊技球により所定方向に回転するように構成し、裏面風車７８の所定方向への回転に応じて表面風車７７が回転した場合には、当該表面風車７７の回転により遊技球が変動表示ゲームの始動口（始動入賞口１０）側へ誘導されるように構成している。
【０１２５】
したがって、遊技盤表面の遊技領域を流下する遊技球を受け入れて、遊技盤裏面の遊技領域に形成された流出口２４ｂから流下させるワープ装置２４を備え、裏面風車７８を、ワープ装置２４の流出口２４ｂの下方に配設して、該流出口２４ｂから流出した遊技球により所定方向に回転するように構成したので、ワープ装置２４の流出口２４ｂから流出した遊技球により裏面風車７８を確実に回転させることが可能となる。さらに、裏面風車７８の所定方向への回転に応じて表面風車７７が回転した場合には、当該表面風車７７の回転により遊技球が変動表示ゲームの始動口側へ誘導されるので、流出口２４ｂから流出した遊技球が、変動表示ゲームの始動口に入賞しやすい位置から遊技盤表面に再排出されることとなり、遊技者の期待感を高めるような遊技内容を提供できる。また、遊技球がワープ装置２４に受け入れられた場合には、その遊技球が有利になるほか、表面を流下する他の遊技球も有利になるため、遊技者の期待感を更に高めることができる。
【０１２６】
また、表面風車７７の羽根部５２が固定される第１の風車軸７５ａと、該第１の風車軸７５ａに形成された貫通孔に遊嵌するとともに該表面風車７７の回転板７６ａが固定される第２の風車軸７５ｂとを備え、遊技盤裏面の遊技領域（第２遊技領域２０）は前後方向に複数の遊技球が並列に流下可能な前後幅を有し、第１の風車軸７５ａよりも第２の風車軸７５ｂを後方側に延在し、各風車軸７５ａ，７５ｂにおける遊技盤裏面の遊技領域に位置する部分に羽根部５１を設けることで該羽根部５１を前後に並設して、遊技盤裏面の遊技領域における遊技球が流下する前後位置により第１および第２の風車軸７５ａ，７５ｂに固定された羽根部５１が独立して回転するようにしている。
【０１２７】
したがって、表面風車７７の羽根部５２が固定される第１の風車軸７５ａと、該第１の風車軸７５ａに形成された貫通孔に遊嵌するとともに該表面風車７７の回転板７６ａが固定される第２の風車軸７５ｂとを備えたので、回転板７６ａと羽根部５２が別々に回転することとなり、回転板７６ａの回転と遊技球の流下誘導態様とが一致しないので、意外性のある動作となって視覚的な装飾効果を向上することができる。また、遊技盤裏面の遊技領域は前後方向に複数の遊技球が並列に流下可能な前後幅を有し、第１の風車軸７５ａ
よりも第２の風車軸７５ｂを後方側に延在し、各風車軸７５ａ，７５ｂにおける遊技盤裏面の遊技領域に位置する部分に羽根部５１を設けることで該羽根部５１を前後に並設して、遊技盤裏面の遊技領域における遊技球が流下する前後位置により第１および第２の風車軸７５ａ，７５ｂに固定された羽根部５１が独立して回転するようにしたので、従来にない斬新な遊技を行えるようなり、さらに興趣を高めることが可能となる。
【０１２８】
また、遊技盤１の後方に画像表示装置（表示ユニット１７０）を配設して、遊技盤１を透かして画像表示装置の表示画像を遊技者に視認可能に構成し、風車７６の回転板７６ａを透明部材により形成している。
【０１２９】
したがって、遊技盤１の後方に画像表示装置を配設して、遊技盤１を透かして画像表示装置の表示画像を遊技者に視認可能に構成し、風車７６の回転板７６ｃを透明部材により形成したので、画像表示装置の表示画像と同時に表裏の遊技領域における遊技球の流下も見ることができ、興趣が向上する。また、風車７６を設けても画像表示の視認性が低下することを防止できる。
【０１３０】
なお、本発明の遊技機１００は、遊技機１００として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１３１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３２】
【図１】本発明を適用した一実施の形態の構成を示す遊技機の正面図である。
【図２】透明部材保持枠を取り外した状態の遊技機の正面図である。
【図３】透明部材保持枠、遊技盤を取り外した状態の前面枠の前面側から見た斜視図である。
【図４】遊技盤の正面図である。
【図５】遊技盤の背面図である。
【図６】風車装置の正面図である。
【図７】風車装置の前面側から見た斜視図である。
【図８】風車装置の裏面側から見た斜視図である。
【図９】風車装置の側面側から見た斜視図である。
【図１０】風車装置の側面図である。
【図１１】第１変形例の遊技機における遊技盤の裏面の一部を示す図であって、裏面側から見て右側の風車装置の周辺を示す図である。
【図１２】第２変形例の遊技機における遊技盤の一部を示す図であって、風車装置が設けられた部分の上方から見た断面図である。
【符号の説明】
【０１３３】
１      遊技盤
１ａ    第１遊技領域（表面の遊技領域）
１ｂ    遊技盤本体
１ｃ    開口部
２      一般入賞口（入賞装置）
３      普通変動入賞装置（入賞装置）
４      特別変動入賞装置（入賞装置）
１０    始動入賞口（入賞装置、始動口）
２０    第２遊技領域（裏面の遊技領域）
２４    ワープ流路形成部材（ワープ装置）
２４ａ  ワープ流路
２４ｂ  流出口
４０    ステージ
５０    ステージ
５１    羽根部
５１ａ  前方羽根部
５１ｂ  後方羽根部
５２    羽根部
７０    風車装置
７１ａ  貫通孔
７２    取付ベース
７３    軸取付部
７５    風車軸
７５ａ  第１の風車軸
７５ｂ  第２の風車軸
７６    風車
７６ａ  回転板
７７    表面風車
７８    裏面風車
１００  遊技機
１７０  表示ユニット（画像表示装置） 
【図１】
2008302007.tif 000003
【図２】
2008302007.tif 000004
【図３】
2008302007.tif 000005
【図４】
2008302007.tif 000006
【図５】
2008302007.tif 000007
【図６】
2008302007.tif 000008
【図７】
2008302007.tif 000009
【図８】
2008302007.tif 000010
【図９】
2008302007.tif 000011
【図１０】
2008302007.tif 000012
【図１１】
2008302007.tif 000013
【図１２】
2008302007.tif 000014